(57)【要約】【課題】ナイロール式ハーフリムメガネのデモレンズから矯正用のレンズに取り替える手間を習熟の技を使用しなくてもフィンガータッチで簡単に出来る様にする事。【解決手段】レンズを保持する部分的なフレームと該フレーム端部に係止して該レンズを吊り下げ抱持する高張力糸を有する、所謂ナイロール式フレームに於いて、前記レンズ１１をフレーム１２から取り外し又はフレー厶に嵌め込むための装置であって、高張力糸１４に、該高張力糸よりも脆弱な材質より作られた貫通孔を有するビーズ玉１３を少なくとも一個以上通して、該ビーズ玉をレンズ周面にスライドさせるだけで、デモレンズの取り外しと矯正レンズの装着をし易くし、且つ、残ったビーズ玉の除去も容易にする装置の提供により解決を図った。【選択図】図４
2005122081.tif 000002
【特許請求の範囲】
【請求項１】
レンズを保持する部分的なフレームと該フレーム端部に係止して該レンズを吊り下げ抱持する高張力糸を有する、所謂ナイロール式フレームに於いて、前記レンズをフレームから取り外し又はフレームに嵌め込むための装置であって、高張力糸に、該高張力糸よりも脆弱な材質より作られた貫通孔を有するビーズ玉を少なくとも一個以上通してあることを特徴とする、ナイロール式ハーフリムメガネ用レンズ取り外し装置。
【請求項２】
前記ビーズ玉が作業用の工具により除去できるようにされたことを特徴とする、請求項１記載のナイロール式ハーフリ厶メガネ用レンズ取り外し装置。
【請求項３】
前記ビーズ玉に、除去しやすいように割れ目が設けられた事を特徴とする、請求項１記載のナイロール式ハーフリムメガネ用レンズ取り外し装置。
【請求項４】
前記ビーズ玉が球形、楕円球形、又は多角形状体の内から選ばれたひとつであることを特徴とする、請求項１記載のナイロール式ハーフリムメガネ用レンズ取り外し装置。
【発明の詳細な説明】
【技術分野】
【０００１】  本発明は、ナイロール式のレンズを簡単に取り外し、又嵌め込み出来る装置に関する。
【背景技術】
【０００２】  近年、特にナイロール式のメガネフレームがそのデザインのスッキリした所と比較的丈夫なことから若者を中心に人気である。そして、レンズを吊るす高張力糸に強くしっかりした素材を使用し、且つレンズを全く隙間のない状態に緊締しているので外れることはなくなってきた。そうすると今度は逆にレンズを外そうと思ったとき、外すのが困難になってきているのが現状である。特に、デモレンズを嵌めて小売店で陳列し、ユーザーの注文によりデモレンズを外し、矯正用のレンズを嵌める時に大変な苦労をしているのが実情である。その際、今迄は、高張力糸を刃物で切ったり、鎧の部分を横に手で広げて爪をレンズ縁と高張力糸の間に押し込むようにしてレンズを外したりしていた。
【発明の開示】
【発明が解決しようとする課題】
【０００４】  しかしながら、上記刃物で高張力糸を切断しようとしても高張力糸とレンズの間のスペースが最近のものでは殆んどなくなってきているので下手に力を入れるとフレーム端部に傷をつけてしまう事故も起きていた。又、一旦高張力糸を切って、矯正用のレンズを嵌めて、新しい高張力糸を張るのは手間も掛り、高張力糸の資源も無駄になる。又、最近では高張力糸に金属線材や複合線材を使用する為に工具では切れないものも出回ってきている。又、鎧の部分を横に手で広げて爪をレンズ縁と高張力の間に押し込んでレンズを外す方法に於いては、鎧部分の形状が変化してしまったり、指を傷めたりしていた。
【課題を解決するための手段】
【０００５】  そこで本発明に於いては、上記課題を解決するために、レンズを保持する部分的なフレームと該フレーム端部に係止して該レンズを吊り下げ抱持する高張力糸を有する、所謂ナイロール式フレームに於いて、前記レンズをフレー厶から取り外し又はフレームに嵌め込むための装置であって、高張力糸に、該高張力糸よりも脆弱な材質より作られた貫通孔を有するビーズ玉を少なくとも一個以上通すことによりデモレンズの取り外しと矯正レンズの装着をし易くし、且つ、残ったビーズ玉の除去も容易にしたことを特徴とする、ナイロール式ハーフリムメガネ用レンズ取り外し装置の提供により解決を図った。
【発明の効果】
【０００６】  本発明のナイロール式ハーフリムメガネ用レンズ取り外し装置は、非常に簡単な構造でレンズの脱着に習熟がいらずに短時間で容易に行え、枠を傷付けることも無く、安価に提供できる。又、デモレンズを装着した状態で小売店店頭に陳列されている時も前記ビーズ玉は装飾としてレンズ縁を飾るのでなんら違和感はなく、むしろ見栄えがして人目を引く効果さえある。
【発明を実施するための最良の形態】
【０００７】  高張力糸にビーズ玉を通して、該高張力糸によりデモレンズをハーフリムフレー厶に吊るしておく事により、ナイロール式ハーフリムメガネ用レンズの取り外しを、誰でも簡単に行えるように実現した。
【実施例１】
【０００８】  図１は、本発明の第一の実施例の正面図であり、デモレンズ１１を装着しハーフリムフレー厶１２の端部に貫通孔を有するビーズ玉１３を通した高張力糸１４を緊締してある状態で、図２はその拡大断面図である。図１および２からも解るように、前記ビーズ玉は飾りとしても陳列時には役に立つ。勿論、ビーズ玉はいろんな色や模様が設けられていても良い。【０００９】  図３は図１のＡ−Ａ拡大断面図であり、デモレンズ１１の周面に設けられた溝１５の幅よりも大きい直径を有するビーズ玉１３が貫通孔１６に高張力糸１４を通した状態でレンズ周面に載っているので、この部分だけ高張力糸１４が浮いた状態になっているので外れ易くなっている。【００１０】  図４は、ユーザーの注文を受けた矯正用のレンズが完成し枠入れする前の段階で、デモレンズ１１を外す手順を示した要部斜視図であり、指１７，１８、でビーズ玉１３をレンズ１１の前後どちらかに少し押すだけで高張力糸１４はその張力を失い、溝から簡単に外すことが出来る。そして、そこでデモレンズを取り外す。【００１１】  次に、図５の如く、矯正用のレンズ１１ａをハーフリム１２に嵌合する。そしてリム端部近傍に位置させたビーズ玉１３を、高張力糸１４をレンズ外周の溝１５ａに沿わしてレンズ周囲を反対側のリム方向に向けて指１７，１８で滑らせるように押してゆくだけで自然と高張力糸１４がレンズ溝１５ａに元の張力を持って嵌合する事となる。【００１２】  そして、図６の如く、仕上げにビーズ玉１３除去用の工具（ニッパ、ペンチ、）等でビーズ玉１３を取り去れば出来上がりとなり、高張力糸１４は矯正用のレンズ１１ａをしっかり堅く保持し、今度は簡単に外れることは無くなる。前記ビーズ玉１３が残っているとちょっとした衝撃等でレンズが外れることとなり、事故の元となるので除去しておいたほうが好ましい。【００１３】  図７、図８は本発明の他の実施例のビーズ玉の斜視図であり、この場合、ビーズ玉を除去する際に取り除きやすいようにスリット２０、２０ａが設けられて良く、又図９の如く、ビーズ玉は多角柱状体１３ｃであっても良く、もちろん楕円球状体（図示無し）であっても構わない。【００１４】  熟練した人で無くとも、簡単にレンズ脱着ができることとなり、小売店等置いても非常に助かることとなり、ユーザーには短時間で安価にハーフリムメガネを提供できることになった。
【図面の簡単な説明】
【００１５】
【図１】本発明の第一の実施例の正面図
【図２】図１からの拡大側面図
【図３】図１のＡ−Ａ線拡大断面図
【図４】本発明の実施例の要部斜視図
【図５】本発明の手順の正面図
【図６】図５からの説明用拡大図
【図７】本発明の他の実施例のビーズ玉の斜視図
【図８】本発明の他の実施例のビーズ玉の斜視図
【図９】本発明の他の実施例のビーズ玉の斜視図
【符号の説明】
１０    本発明の装置を装着したメガネ
１１    デモレンズ
１２    上部リム（ハーフリム）
１３    ビーズ玉
１４    高張力糸
１５    溝
１６    ビーズ玉貫通孔
１７，１８  指
１９    工具類
２０    スリット
【図１】
2005122081.tif 000003
【図２】
2005122081.tif 000004
【図３】
2005122081.tif 000005
【図４】
2005122081.tif 000006
【図５】
2005122081.tif 000007
【図６】
2005122081.tif 000008
【図７】
2005122081.tif 000009
【図８】
2005122081.tif 000010
【図９】
2005122081.tif 000011